(57)【要約】      （修正有）【課題】発泡樹脂製の基材の開口周縁部が陥没することを抑制することが可能な配水管取付構造を提供する。【解決手段】配水管取付構造２は、厚み方向Ｄ１へ貫通した開口を有する発泡樹脂製の基材１０と、開口の周縁部１２の一面１０ｂ側に配置される第一フランジ３４を有する配水管３０と、開口の周縁部１２の他面１０ａ側に配置される第二フランジ４４を有する配水管保持手段４０とを備え、第一フランジ３４と第二フランジ４４との間に開口の周縁部１２が入って配水管３０と配水管保持手段４０とが嵌合し、基材１０に対して第二フランジ４４から厚み方向Ｄ１への押圧力の加わる範囲Ｒ２が第一フランジ３４から厚み方向Ｄ１への押圧力の加わる範囲Ｒ１よりも外側に広い。【選択図】図７
2014129674.tif 000002
【特許請求の範囲】
【請求項１】
開口を有する発泡樹脂製の基材と、
前記開口の周縁部の一面側に配置される第一フランジを有する配水管と、
前記開口の周縁部の他面側に配置される第二フランジを有する配水管保持手段とを備え、
前記第一フランジと前記第二フランジとの間に前記開口の周縁部が入って前記配水管と前記配水管保持手段とが嵌合し、
前記基材に対して前記第二フランジから厚み方向への押圧力の加わる範囲が前記第一フランジから厚み方向への押圧力の加わる範囲よりも外側に広いことを特徴とする配水管取付構造。
【請求項２】
前記配水管保持手段は、
前記配水管との嵌合部位と、前記第二フランジの内側部分である内側フランジとを有する締め付けフランジ部材と、
前記内側フランジと前記開口の周縁部との間に配置される被押圧部と、前記第二フランジの外側部分である外側フランジとを有する面積拡大部材とを備えることを特徴とする請求項１に記載の配水管取付構造。
【請求項３】
前記配水管保持手段は、前記第一フランジと前記第二フランジとの間で前記第一フランジ側へ延出した狭まり規制部を有することを特徴とする請求項１又は請求項２に記載の配水管取付構造。
【発明の詳細な説明】
【技術分野】
【０００１】
本発明は、排水管等の配水管を基材の開口部に取り付ける構造に関する。
【背景技術】
【０００２】
浴室の床は、ＳＭＣ（シートモールディングコンパウンド）等、積極的に発泡させていない非発泡の合成樹脂で成形される浴槽フロア材や洗い場フロア材で構成される。浴槽フロア材は、浴槽の下に設置される受け皿状の成形品であり、排水口を形成するための開口が形成されている。洗い場フロア材の浴槽側縁部に形成された凹状の排水桝には、排水トラップ用の排水口を形成するための開口が形成されている。これらフロア材の開口部には、水（湯を含む。）を排出するための排水管が硬質樹脂製の環状の締め付けフランジ部材によって取り付けられる。これら排水管と締め付けフランジ部材とには、フロア材の開口周縁部を挟む位置にフランジが設けられている。従って、パッキンを取り付けたフロア材の開口部で排水管に締め付けフランジ部材を螺合させると、排水管のフランジ上面と締め付けフランジ部材のフランジ下面とでフロア材の開口周縁部がパッキンを介して挟持される。なお、螺合とは、ねじを嵌め合わせることを意味する。
【０００３】
図８は、特許文献１に開示された排水トラップ付きの排水管取付構造を示している。この排水管取付構造の排水口９０１は、排水管を構成するトラップ本体９０２にフランジ部材９０４が螺合されている。洗い場フロア材９１０の開口周縁部９１１は、トラップ本体９０２のフランジ９０３の上面とフランジ部材９０４のフランジ９０５の下面とでパッキン９０６を介して挟持されている。
図８に示すように、フランジ部材９０４のフランジ９０５の外縁は、トラップ本体９０２のフランジ９０３の外縁よりも内側とされている。フランジ９０３，９０５からフロア材の開口周縁部９１１に対しては、パッキン９０６を介して厚み方向への押圧力が加わる。開口周縁部９１１の上側にあるパッキン９０６の接触範囲は、開口周縁部９１１の下側にあるパッキン９０６の接触範囲と同じである。
【先行技術文献】
【特許文献】
【０００４】
【特許文献１】特開２０００−８０６９５号公報
【発明の概要】
【発明が解決しようとする課題】
【０００５】
マンションなど階上に浴室を組み立てる場合、フロア材等を軽くした方が部材の搬入搬出が容易となる。フロア材を軽くするためには、発泡樹脂でフロア材を形成することが考えられる。しかし、施工時等に硬質樹脂製の締め付けフランジ部材にフロア材厚み方向への押圧力が加わることがあるため、フロア材を発泡樹脂製にすると、締め付けフランジ部材への押圧力によりフロア材の開口周縁部が陥没する可能性がある。
なお、上述した問題は、浴室以外の排水管を基材の開口部に取り付ける場合、浄水を通すための給水管を基材の開口部に取り付ける場合、等でも存在する。
【０００６】
本発明は、上述した課題を解決する新規な配水管取付構造を提供する目的を有する。
【課題を解決するための手段】
【０００７】
本発明は、開口を有する発泡樹脂製の基材と、
前記開口の周縁部の一面側に配置される第一フランジを有する配水管と、
前記開口の周縁部の他面側に配置される第二フランジを有する配水管保持手段とを備え、
前記第一フランジと前記第二フランジとの間に前記開口の周縁部が入って前記配水管と前記配水管保持手段とが嵌合し、
前記基材に対して前記第二フランジから厚み方向への押圧力の加わる範囲が前記第一フランジから厚み方向への押圧力の加わる範囲よりも外側に広い、態様を有する。
【０００８】
ここで、基材に対してフランジから厚み方向への押圧力の加わる範囲を押圧範囲と記載する。すなわち、配水管保持手段の第二フランジによる押圧範囲が配水管の第一フランジによる押圧範囲よりも外側に広いので、施工時等に配水管保持手段に基材厚み方向への押圧力が加わっても、配水管保持手段から基材に加わる面圧が小さく、基材が陥没し難くなっている。従って、上記態様は、発泡樹脂製の基材の開口周縁部が陥没することを抑制することができ、製品を長寿命化することができる。
【０００９】
各請求項に係る発明において、基材の開口には、基材の縁部に繋がっていない開口のみならず、基材の縁部に繋がった開口も含まれる。
配水管には、排水を通すための排水管、浄水を通すための給水管、等が含まれる。
配水管保持手段は、分離不能な単一の部材で構成してもよいし、分離可能な複数の部材で構成してもよい。分離される各部材は、接触して配置されてもよいし、パッキン等の部材を介して配置されてもよい。
第一フランジと第二フランジとの間に開口の周縁部が入ることには、フランジに開口周縁部が接触していることと、フランジと開口周縁部との間にパッキン等の部材が配置されていることとの両方が含まれる。
フランジから押圧力の加わる範囲には、基材に直接接触したフランジから押圧力の加わる部分の他、パッキン等の部材を介してフランジから間接的に押圧力の加わる部分が含まれる。
【００１０】
ところで、前記配水管保持手段が締め付けフランジ部材と面積拡大部材とを備え、前記締め付けフランジ部材に前記配水管との嵌合部位と内側フランジとが設けられ、前記面積拡大部材に前記内側フランジと前記開口周縁部との間に配置される被押圧部と外側フランジとが設けられてもよい。この態様は、非発泡の樹脂製基材に使用可能な締め付けフランジ部材を発泡樹脂製の基材に用いることができるので、部材を共通化させることができる。
【００１１】
前記配水管保持手段に、前記第一フランジと前記第二フランジとの間で前記第一フランジ側へ延出した狭まり規制部が設けられてもよい。この態様は、配水管保持手段に基材厚み方向への押圧力が加わったときに狭まり規制部が直接又は間接的に配水管に突き当たる側へ延出しているので、配水管保持手段と配水管との締め込み量を規制することができる。従って、基材の開口周縁部における厚み方向への潰れを抑制することができ、製品を長寿命化することができる。
【００１２】
なお、上記配水管取付構造を有する浴室やシャワールームや洗面化粧台やシステムキッチン等の発明も、上述した作用、効果を奏する。
【発明の効果】
【００１３】
本発明によれば、発泡樹脂製の基材の開口周縁部が陥没することを抑制することが可能な配水管取付構造を提供することができる。
【図面の簡単な説明】
【００１４】
【図１】（ａ）は排水管取付構造１を設けた浴室１００のフロア部１１０を例示する斜視図、（ｂ）は浴室フロア部１１０を図１のＡ１−Ａ１の位置で切断した垂直断面図、である。
【図２】排水管取付構造１を例示する分解斜視図である。
【図３】（ａ）は締め付けフランジ部材５０の外観を例示する斜視図、（ｂ）は面積拡大部材６０の外観を例示する斜視図、（ｃ）は排水管３０の外観を例示する斜視図、である。
【図４】排水管取付構造１を例示する垂直断面図である。
【図５】排水管取付構造１の一部を例示する分解断面図である。
【図６】排水管取付構造１の要部を例示する垂直断面図である。
【図７】変形例に係る排水管取付構造２を示す垂直断面図である。
【図８】従来例に係る排水管取付構造を示す垂直断面図である。
【発明を実施するための形態】
【００１５】
以下、本発明の実施形態を説明する。むろん、以下の実施形態は本発明を例示するものに過ぎず、実施形態に示す特徴の全てが発明の解決手段に必須になるとは限らない。
【００１６】
（１）配水管取付構造の構成の説明：
図１（ａ）は、配水管取付構造の例として排水管取付構造１を設けた浴室１００のフロア部１１０を示している。図１（ｂ）は、浴室フロア部１１０を図１のＡ１−Ａ１の位置で切断した垂直断面を示している。フロア部１１０は、浴槽１４０が設置される浴槽フロア部１２０と、洗い場となる洗い場フロア部１３０とに分けられている。
浴槽フロア部１２０には、本技術の発泡樹脂製の基材１０が設置されている。むろん、洗い場フロア部１３０にも発泡樹脂製の基材を設置してもよい。浴槽フロア部１２０には、浴槽１４０等からの排水を通過させるための排水口７０が設けられ、排水管取付構造１が設けられている。排水管取付構造１の排水管（配水管）３０は、排水トラップ１３６のトラップ本体１３８に接続される接続管３２を有している。
【００１７】
洗い場フロア部１３０の浴槽フロア部１２０側の縁部には、凹状の排水桝１３２が形成されている。排水桝１３２の底部には、洗い場からの排水を通過させるための排水口１３４が設けられ、トラップ本体１３８を有する排水トラップ１３６が取り付けられている。トラップ本体１３８は、封水の貯留部となり、排水桝１３２と上記接続管３２からの排水が封水貯留部を経て排出口１３９へ流れるようにされている。
【００１８】
図２は、浴槽フロア部１２０に設けられた排水管取付構造１を分解して示している。図３には、締め付けフランジ部材５０、面積拡大部材６０、及び、排水管３０の外観を拡大して示している。図４は、排水管取付構造１を図１のＡ１−Ａ１の位置で切断した垂直断面を示し、排水管３０のみの垂直断面も示している。図５は、締め付けフランジ部材５０、スリップワッシャ２５、パッキン２０、面積拡大部材６０、及び、基材１０をそれぞれ別に図１のＡ１−Ａ１の位置で切断した垂直断面を示している。図６は、排水管取付構造１の要部を図１のＡ１−Ａ１の位置で切断した垂直断面を示している。
なお、基材１０の開口ＯＰ１から周辺へ向かう方向を外方向Ｄ４とし、逆の方向を内方向Ｄ３としている。
【００１９】
排水管取付構造１は、基材１０、第一フランジ３４を有する排水管（配水管）３０、及び、第二フランジ４４を有する配水管保持手段４０を基本要素として備える。基材１０は、発泡樹脂製であり、排水管３０と配水管保持手段４０の少なくとも一方を通すための開口ＯＰ１を有している。排水管３０は、前記開口ＯＰ１の周縁部１２の下面（一面１０ｂ）側に配置される。配水管保持手段４０は、前記開口ＯＰ１の周縁部１２の上面（他面１０ａ）側に配置される。排水管３０と配水管保持手段４０とは、第一フランジ３４と第二フランジ４４との間に開口ＯＰ１の周縁部１２が入って嵌合している。図６に示すように、基材１０に対して配水管保持手段の第二フランジ４４から厚み方向Ｄ１への押圧力の加わる押圧範囲Ｒ２は、排水管の第一フランジ３４から厚み方向Ｄ１への押圧力の加わる押圧範囲Ｒ１よりも外側に広い。
【００２０】
図１〜６に示す基材１０は、浴室１００の床材であり、厚み方向Ｄ１へ貫通した開口ＯＰ１を有する。開口ＯＰ１の周縁部１２の下面（一面１０ｂ）側には、排水管３０の第一フランジ３４が配置される。開口ＯＰ１の周縁部１２の上面（他面１０ａ）側には、配水管保持手段４０の第二フランジ４４が配置される。
浴室床材としてはＦＲＰ（ガラス繊維強化プラスチック）など積極的に発泡させていない非発泡の合成樹脂の成形品が多く用いられているが、本技術の基材１０は、発泡樹脂とも呼ばれる発泡樹脂の成形品とされている。発泡樹脂製にすることにより床材が軽量化されるので、マンションなど階上に浴室を組み立てる場合に床材の搬入搬出が容易となる。また、床材を発泡材にすることにより、断熱性能も向上する。
【００２１】
排水管３０の第一フランジ３４と締め付けフランジ部材５０の内側フランジ５４との間隔は、非発泡の合成樹脂製床材の開口周縁部を挟持する設定にされている。比較的軟質である発泡樹脂で基材を形成する場合、強度を維持するため、基材一般部の厚みを非発泡の合成樹脂成形品よりも厚くしている。そこで、開口ＯＰ１の周縁部１２は、それ以外の一般部１１と比べて薄くされている。図５，６に示すように、周縁部１２は、面積拡大部材６０の外側フランジ６４の下となる外側薄肉部１３と、この外側薄肉部１３よりもさらに薄い内側薄肉部１４とに分けられる。外側薄肉部１３の下面は一般部１１から上がっていないが、外側薄肉部１３の上面は一般部１１から外側フランジ６４の厚みよりも若干大きく下がっている。内側薄肉部１４の下面は外側薄肉部１３から上がり、内側薄肉部１４の上面は内側フランジ５４の上面が外側フランジ６４の上面よりも若干下がる位置に下がっている。一般部上面から外側フランジ上面が若干下がり、内側フランジ上面がさらに若干下がっているので、基材１０上の排水は、一般部１１から外側フランジ６４を経て内側フランジ５４の方へ流れる。
【００２２】
発泡樹脂製の基材１０に使用可能なプラスチックは、ポリスチレン（ＰＳ）やポリプロピレン（ＰＰ）といった熱可塑性プラスチックでもよいし、熱硬化性プラスチックでもよく、エラストマーや添加剤が添加されてもよい。原料プラスチックの発泡剤は、化学反応により気体を発生する化学発泡剤、不活性ガスといった物理発泡剤、等を用いることができる。基材の発泡倍率は、強度が十分であれば特に限定されないが、例えば、２〜１０倍にすることができる。原料プラスチックの発泡成形には、射出成形、注型成形、等を採用することができる。
【００２３】
パッキン２０は、開口ＯＰ１に合わせて環状にされた弾性部材であり、外側が開口し上側部位２０ａと下側部位２０ｂとが並行した断面略コ字状に形成されている。水平方向において上側部位２０ａの外縁と下側部位２０ｂの外縁とは同じ位置にされている。パッキン２０の溝には、面積拡大部材６０の狭まり規制部６６及び被押圧部６１とともに内側薄肉部１４が挿入される。図５に示すパッキン２０の溝部は、内側薄肉部１４及び面積拡大部材被押圧部６１との接触部に凸部２１が形成されている。パッキン２０は、水密機能を得ることができればよく、エラストマーの成形品等を用いることができる。
【００２４】
スリップワッシャ２５は、パッキン２０に合わせて環状にされ、パッキン２０と内側フランジ５４との間に配置される。スリップワッシャ２５には、アクリロニトリルブタジエンスチレン共重合体（ＡＢＳ）やＰＰやＰＳといった合成樹脂、金属、等の成形品を用いることができる。
【００２５】
図３（ｃ）や図４等に示すように、排水管３０は、開口ＯＰ１に合わせた凹部３１を有し、この凹部３１の内側面に雌ねじ部３１ａが形成されている。凹部３１の底部には、接続管３２が形成されている。凹部３１の外側面３１ｂから外方向Ｄ４へは、周縁部１２の下面側に配置される第一フランジ３４が延出している。すなわち、第一フランジ３４の上面は、パッキン２０を介して間接的に内側薄肉部１４を押圧する押圧面３４ａとされている。排水管３０には、ＡＢＳやＰＰやＰＳといった合成樹脂、金属、等の成形品を用いることができる。
【００２６】
配水管保持手段４０は、締め付けフランジ部材５０と面積拡大部材６０とに分かれている。
図３（ａ）や図５等に示すように、締め付けフランジ部材５０は、開口ＯＰ１に合わせた凹部５１を有し、この凹部５１の外側面に雄ねじ部５１ａが形成されている。雄ねじ部５１ａは、排水管３０との嵌合部位であり、雌ねじ部３１ａと螺合可能である。凹部５１の底部には、排水を排水管へ通すための開口部５２が形成されている。凹部５１の上縁部から外方向Ｄ４へは、開口周縁部１２の上面側に配置される内側フランジ５４が延出している。すなわち、内側フランジ５４の下面は、スリップワッシャ２５及びパッキン２０を介して間接的に内側薄肉部１４を押圧する押圧面５４ｂとされている。締め付けフランジ部材５０には、ＡＢＳやＰＰやＰＳといった熱可塑性プラスチック、熱硬化性プラスチック、等の成形品を用いることができる。
【００２７】
図３（ｂ）や図５等に示すように、面積拡大部材６０は、内側フランジ５４に合わせて環状に形成され、内側フランジ５４の外側で開口周縁部１２の上面側に配置される外側フランジ６４が形成されている。外側フランジ６４の下面は、外側薄肉部１３を直接押圧する押圧面６４ｂとされている。配水管保持手段４０の第二フランジ４４は、内側部分の内側フランジ５４と外側部分の外側フランジ６４とで構成される。外側フランジ６４の内縁部から下方へは段差部６２が延出し、この段差部６２の下縁部から内方向Ｄ３へは被押圧部６１が延出している。段差部６２は内側フランジ５４の外縁よりも外側にあり、被押圧部６１は内側フランジ５４と開口周縁部１２との間に配置される。
【００２８】
被押圧部６１の内縁部から下方へは、第一フランジ３４に向かって狭まり規制部６６が延出している。すなわち、狭まり規制部６６は、第一フランジ３４と第二フランジ４４との間で第一フランジ３４側へ延出している。被押圧部６１の下面を基点とした狭まり規制部６６の長さＬ１は、基材１０の内側薄肉部１４の厚みＴ１よりも若干短くされている。
面積拡大部材６０の材料は、開口周縁部１２の陥没を抑制するため、非発泡の合成樹脂、金属、といった基材１０よりも硬質の材料が好ましい。面積拡大部材６０には、ＡＢＳやＰＰやＰＳといった合成樹脂、金属、等の成形品を用いることができる。
【００２９】
上述した排水管取付構造１は、例えば、以下のようにして形成することができる。
まず、基材１０の開口周縁部１２に面積拡大部材６０を配置する。すなわち、被押圧部６１の下面を内側薄肉部１４の上面に接触させ、外側フランジ６４の下面を外側薄肉部１３の上面に接触させた状態にする。このとき、両面テープ等で開口周縁部１２に面積拡大部材６０を仮固定し、水密性を得るために外側フランジ６４の周縁部をコーキング材でコーキングしてもよい。
【００３０】
次に、基材１０及び面積拡大部材６０の開口部分にパッキン２０を取り付ける。すなわち、内側薄肉部１４と被押圧部６１とがパッキン２０で挟まれた状態にする。
さらに、パッキン２０の上にスリップワッシャ２５を配置し、パッキン２０の下面に排水管３０の第一フランジ３４を接触させ、第一フランジ３４と第二フランジ４４との間に開口周縁部１２が入った状態で締め付けフランジ部材５０を排水管３０に嵌合させる。すなわち、雌ねじ部３１ａに雄ねじ部５１ａを螺合させていき、第一フランジ３４と第二フランジ４４とから開口周縁部１２に厚み方向Ｄ１への押圧力が加わるようにする。開口周縁部１２の下面に対しては、パッキン２０を介して排水管の第一フランジ３４から間接的に押圧力が加わる。開口周縁部１２の上側では、面積拡大部材被押圧部６１に対してスリップワッシャ２５及びパッキン２０を介して締め付けフランジ部材の内側フランジ５４から間接的に押圧力が加わり、これにより開口周縁部１２の上面に対して面積拡大部材６０から直接押圧力が加わる。
【００３１】
図６に示すように、基材１０に対して排水管の第一フランジ３４から上方（厚み方向Ｄ１）への押圧力の加わる押圧範囲Ｒ１は、開口周縁部１２の内縁Ｒ１ｉとパッキン２０の下側部位の外縁Ｒ１ｏとの間となる。なお、パッキン２０を介した押圧力の加わる範囲は、凸部２１（図５参照。）が潰れたときにパッキン２０が開口周縁部１２に接触する範囲とする。
基材１０に対して配水管保持手段の第二フランジ４４から下方（厚み方向Ｄ１）への押圧力の加わる押圧範囲Ｒ２は、開口周縁部１２の内縁Ｒ２ｉと面積拡大部材６０の外縁Ｒ２ｏとの間となる。従って、第二フランジ４４からの押圧範囲Ｒ２は、第一フランジ３４からの押圧範囲Ｒ１よりも外側に広い。
【００３２】
（２）配水管取付構造の作用及び効果の説明：
次に、配水管取付構造の作用及び効果を説明する。
浴室の施工時、作業者が締め付けフランジ部材を踏んだり場合によっては浴槽からの荷重が締め付けフランジ部材に加わったりする等により、締め付けフランジ部材に床材厚み方向への大きい押圧力が加わる可能性がある。このような大きい押圧力が図８で示したような浴室床部に加わると、開口周縁部９１１の上側にあるパッキン９０６の接触範囲が下側にあるパッキン９０６の接触範囲と同じであるため、床材を比較的軟質である発泡樹脂製にしたときに床材の開口周縁部が陥没する可能性がある。
【００３３】
一方、本技術の排水管取付構造１は、配水管保持手段の第二フランジ４４による押圧範囲Ｒ２が排水管の第一フランジ３４による押圧範囲Ｒ１よりも外側に広い。このため、施工時等に配水管保持手段４０に下方（厚み方向Ｄ１）への押圧力が加わっても、配水管保持手段４０から基材１０に加わる面圧が小さく、基材１０が陥没し難くなっている。従って、本技術は、発泡樹脂製の基材１０の開口周縁部１２が陥没することを抑制することが可能であり、製品を長寿命化することが可能な配水管取付構造を提供することができる。
【００３４】
また、配水管保持手段４０が締め付けフランジ部材５０と面積拡大部材６０とに分かれているので、非発泡の樹脂製基材に使用可能な締め付けフランジ部材を発泡樹脂製の基材に用いることができる。従って、本技術は、部材を共通化させる効果も得られる。
さらに、第一フランジ３４と第二フランジ４４との間に狭まり規制部６６があるので、配水管保持手段４０に下方（厚み方向Ｄ１）への押圧力が加わったときに狭まり規制部６６がパッキン２０を介して間接的に排水管の第一フランジ３４に突き当たる。これにより、締め付けフランジ部材５０と排水管３０との締め込み量が規制される。従って、本技術は、基材１０の開口周縁部１２における厚み方向Ｄ１への必要以上の潰れや割れを抑制することが可能であり、製品をさらに長寿命化することが可能な配水管取付構造を提供することができる。
【００３５】
（３）変形例：
本発明は、種々の変形例が考えられる。
例えば、配水管取付構造の設置場所は、浴室を含む種々の衛生設備室（シャワールームや洗面室やトイレ等）でもよいし、システムキッチン等でもよい。従って、配水管には、排水管の他、給水管等が含まれる。また、配水管取付構造の設置箇所は、床以外にも、天井、側壁、等でもよい。すなわち、基材には、床材の他、天井材、壁材、等が含まれる。基材の開口を通過する水の流れは、下方以外にも、水平方向等でもよい。
上述したスリップワッシャ２５は、省略可能である。パッキン２０についても、コーキング材等で水密性を得ることができれば省略可能である。
【００３６】
図７は、面積拡大部材を用いていない変形例の排水管取付構造（配水管取付構造）２の要部を図１のＡ１−Ａ１に相当する位置で切断した垂直断面を示している。本変形例は、締め付けフランジ部材５０自体が配水管保持手段４０を構成している。なお、図１〜６と同じ構成については、同じ符号を付して説明を省略する。
【００３７】
図７に示す締め付けフランジ部材５０は、開口周縁部１２の上面側に配置される第二フランジ４４が凹部５１の上縁部から外方向Ｄ４へ延出している。すなわち、第二フランジ４４の下面は、パッキン２０を介して間接的に開口周縁部１２を押圧する押圧面４４ｂとされている。また、図７に示すパッキン２０は、上側部位２０ａが下側部位２０ｂよりも外側へ出ている。従って、基材１０に対して第二フランジ４４から下方（厚み方向Ｄ１）への押圧力の加わる押圧範囲Ｒ２は、開口周縁部１２の内縁Ｒ２ｉとパッキン２０の上側部位２０ａの外縁Ｒ２ｏとの間となる。従って、第二フランジ４４からの押圧範囲Ｒ２は、第一フランジ３４からの押圧範囲Ｒ１よりも外側に広い。
【００３８】
本変形例も、押圧範囲Ｒ２が押圧範囲Ｒ１よりも外側に広いため、施工時等に配水管保持手段４０に下方（厚み方向Ｄ１）への押圧力が加わっても、配水管保持手段４０から基材１０に加わる面圧が小さく、基材１０が陥没し難くなっている。従って、発泡樹脂製の基材１０の開口周縁部１２が陥没することを抑制することが可能であり、製品を長寿命化することが可能な配水管取付構造を提供することができる。
【００３９】
なお、開口周縁部１２について外側薄肉部１３の上面を内側薄肉部１４の上面よりもパッキン上側部位２０ａの厚み程度高くすれば、外側薄肉部１３の上面と第二フランジ４４の押圧面４４ｂとが接触する。従って、図５，６で示したような上側部位２０ａと下側部位２０ｂの外縁が同じ位置のパッキン２０を使用することも可能である。
また、パッキン２０と第二フランジ４４との間にスリップワッシャを入れてもよい。
【００４０】
さらに、パッキン２０よりも内側において第二フランジ４４の下面に狭まり規制部４６を設けてもよい。この狭まり規制部４６は、締め付けフランジ部材凹部５１の外側面に繋がっているが、第一フランジ３４と第二フランジ４４との間で第一フランジ３４側へ延出している。配水管保持手段４０に下方（厚み方向Ｄ１）への押圧力が加わったとき、狭まり規制部４６が直接排水管３０に突き当たる。これにより、締め付けフランジ部材５０と排水管３０との締め込み量が規制される。従って、本変形例は、基材１０の開口周縁部１２における厚み方向Ｄ１への必要以上の潰れや割れを抑制することが可能であり、製品をさらに長寿命化することが可能な配水管取付構造を提供することができる。
【００４１】
（４）結び：
以上説明したように、本発明によると、種々の態様により、発泡樹脂製の基材の開口周縁部が陥没することを抑制することが可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００４２】
１，２…排水管取付構造（配水管取付構造）、
１０…基材、１０ａ…他面（上面）、１０ｂ…一面（下面）、１１…一般部、
１２…周縁部、１３…外側薄肉部、１４…内側薄肉部、
２０…パッキン、２５…スリップワッシャ、
３０…排水管（配水管）、３１…凹部、３１ａ…雌ねじ部、３１ｂ…外側面、
３４…第一フランジ、３４ａ…押圧面、
４０…配水管保持手段、４４…第二フランジ、４４ｂ…押圧面、４６…狭まり規制部、
５０…締め付けフランジ部材、５１…凹部、５１ａ…雄ねじ部（嵌合部位）、
５４…内側フランジ、５４ｂ…押圧面、
６０…面積拡大部材、６１…被押圧部、６２…段差部、
６４…外側フランジ、６４ｂ…押圧面、６６…狭まり規制部、
１００…浴室、１１０…フロア部、１２０…浴槽フロア部、
１３０…洗い場フロア部、１４０…浴槽、
Ｄ１…厚み方向、Ｄ３…内方向、Ｄ４…外方向、
ＯＰ１…開口、
Ｒ１，Ｒ２…押圧範囲、Ｒ１ｉ，Ｒ２ｉ…内縁、Ｒ１ｏ，Ｒ２ｏ…外縁。
【図１】
2014129674.tif 000003
【図２】
2014129674.tif 000004
【図３】
2014129674.tif 000005
【図４】
2014129674.tif 000006
【図５】
2014129674.tif 000007
【図６】
2014129674.tif 000008
【図７】
2014129674.tif 000009
【図８】
2014129674.tif 000010